(57)【要約】  【課題】分割された断熱扉の突合せ部における断熱性能を向上する扉装置を提供する。  【解決手段】上下二分割構造になる断熱内扉１０１，１０２の上部断熱内扉１０１の下端面または下部断熱内扉１０２の上端面の少なくともどちらか一方にガスケット１０３，１０４を装着して、扉間の隙間を閉塞し、上部断熱内扉１０１の下端面と下部断熱内扉１０２の上端面は前後方向で重なるように端面を形成し、断熱内扉の端面まで断熱材１０１ａ，１０２ａが充填されていることにより、断熱壁に空洞部がなくなり突合せ部における断熱性能とシール性を向上することができる。【選択図】図１
2007162257.tif 000002
【特許請求の範囲】
【請求項１】
端辺に傾斜面を形成して前記傾斜面にまで断熱材を充填した隣接する二つの断熱扉を有し、前記二つの断熱扉の閉時に、前記傾斜面同志がシール材を介して前後方向で重なるように接合され前記二つの扉間を密閉する扉装置。
【請求項２】
シール材を一方の断熱扉の傾斜面にのみ設けた請求項１に記載の扉装置。
【発明の詳細な説明】
【技術分野】
【０００１】
本発明は、二つの断熱扉を備えた扉装置の扉同士の密閉構造に関するものである。
【背景技術】
【０００２】
従来より、隣接する二つの断熱扉を有して、この二つの断熱扉間を扉閉時にシールすることが要求される扉装置がある（例えば、特許文献１参照）。
【０００３】
この扉装置の一例として、自動販売機の商品収納庫を開閉するための断熱扉に関するものがある。
【０００４】
具体的には、この種の自動販売機の庫内前面に配した上下分割構造になる断熱扉で、庫内外の熱伝導を回避するものとして断熱材を上下に配置させ、上下断熱材の隙間をシールする特許文献１のものがある。
【０００５】
図２は特許文献１に記載された従来の自動販売機を示すものである。図３（ａ）は従来の扉装置の密閉前を示す図である。図３（ｂ）は従来の扉装置の密閉後を示す図である。
【０００６】
図２に示すように１は断熱筺体としてなる本体ケース、２は外扉、３は本体ケース１の庫内に収設したサーペンタイン式の商品収納ラック、４は商品搬出シュータであり、本体ケース１の庫内前面には上下二分割構造の断熱扉５を備えている。なお、図示されていないが、本体ケース１の庫内底部には商品保冷用の冷却器、および加熱用ヒータ、および庫内ファンを備えている。
【０００７】
以上のように構成された自動販売機の上下分割構造になる断熱扉について、以下その動作を説明する。
【０００８】
図３（ａ），（ｂ）に示すように、まず、断熱扉５は、商品収納ラック３の上部前面に開口している商品投入口３ａを覆う上部分割扉５ａと、下部領域を覆う下部分割扉５ｂからなり、上部分割扉５ａは外扉２と一緒に開閉するよう外扉２の裏面に取り付けられている。なお、５ｃは上部分割扉５ａを外扉２に係止する掛け金である。かかる構成で、商品収納ラック３に収納した商品を庫内に備えた冷却器で保冷する、ないしは加熱ヒータで加熱してコールド商品、ないしはホット商品として販売することは周知の通りである。また、商品収納ラック３に商品を補給する場合には、外扉２と一緒に断熱扉５の上部分割扉５ａを開き、下部分割扉５ｂは閉じたまま（庫内への外気熱の侵入をできるだけ抑えるために下部分割扉を閉じておく）で商品投入口３ａに商品を投入する。
【０００９】
また、断熱扉５を閉じた状態で本体ケース１との間をシールして庫内への外気侵入を防ぐために、上部分割扉５ａの裏面側周縁には帯状のガスケット６が敷設されており、さらに上部分割扉５ａと下部分割扉５ｂとの隙間を塞ぐように、ガスケット６とは別に上部分割扉５ａの下端面、および下部分割扉５ｂの上端面にガスケット７、８を装着している。
【００１０】
この分割扉相互間をシールするガスケット７，８は扉裏面側のガスケット６と同様に軟質な樹脂、ゴムなどで作られた中空の帯条体であり、そのシール端面を斜めカットしてそのシール端面同士を前後に突き合わせるようにした断面三角形の中空状のガスケットを装着するとともに、いずれか一方のガスケットのシール端面に相手側のガスケットに向けて突き出す前後複数条のヒレ部を設け、分割扉を閉じた状態で前記ヒレ部を相手側ガスケットのシール端面に密着させて分割扉相互間の隙間をシールしている。
【特許文献１】特開平１０−３３４３２８号公報
【発明の開示】
【発明が解決しようとする課題】
【００１１】
しかしながら、上記従来の構成では断熱扉５のガスケット７，８は斜めカットされた中空の帯条体同士を突き合わせて上部分割扉５ａと下部分割扉５ｂとの間の隙間を断熱しているので、突き合わせ部において中空部が発生し、このために庫内外の断熱性能が悪化するほか、特に庫内を保冷している場合にはガスケット部分の表面に結露が発生し易いという課題を有していた。
【００１２】
本発明は、上記従来の課題を解決するもので、簡素な構成で、二つの断熱扉間のシール性と断熱性を両立できる扉装置を提供することを目的とする。
【課題を解決するための手段】
【００１３】
上記従来の課題を解決するために、本発明の扉装置は、端辺に傾斜面を形成して前記傾斜面にまで断熱材を充填した隣接する二つの断熱扉を有し、前記二つの断熱扉の閉時に、前記傾斜面同士がシール材を介して前後方向で重なるように接合され前記二つの扉間を密閉するものである。
【００１４】
これにより、簡素な構成で冷却された領域の内外を遮断する断熱扉の突き合わせ部における断熱性能が向上し、この結果、熱伝導が削減されるので、内部側保冷及び保温状態の向上、外部側シール部の結露防止ができる。
【発明の効果】
【００１５】
本発明の扉装置は、簡素な構成で内部側保冷及び保温状態の向上、外部側シール部の結露防止ができる。
【発明を実施するための最良の形態】
【００１６】
請求項１に記載の発明は、端辺に傾斜面を形成して前記傾斜面にまで断熱材を充填した隣接する二つの断熱扉を有し、前記二つの断熱扉の閉時に、前記傾斜面同士がシール材を介して前後方向で重なるように接合され前記二つの扉間を密閉するものであり、簡素な構成で冷却された領域の内外を遮断する断熱扉の突き合わせ部における断熱性能が向上し、この結果、熱伝導が削減されるので、内部側保冷及び保温状態の向上、外部側シール部の結露防止ができる。
【００１７】
請求項２に記載の発明は、請求項１に記載の発明において、シール材を一方の断熱扉の傾斜面にのみ設けたものであり、突き合わせ部が断熱構造となるため一方の側のシール材で安価に断熱扉の接合構造が実現できる。
【００１８】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１９】
（実施の形態１）
図１（ａ）は、本発明の実施の形態１における扉装置の密閉前を示す図である。図１（ｂ）は同実施の形態における扉装置の密閉後を示す図である。
【００２０】
図１（ａ），（ｂ）において、分割された断熱材１０１ａを装填した上部断熱内扉１０１の下端面、断熱材１０２ａを装填した下部断熱内扉１０２の上端面は図示のようにシール端面を斜めカットして前後に突き合わせるようにした断面形状となっている。下部断熱内扉１０２の上端斜面にはガスケット硬質材１０３が装着されており、ガスケット硬質材１０３の斜面部にガスケット軟質材のパッキン部１０４が一体成形されている。上部断熱内扉の下端斜面には軟質フォームまたは保護テープ１０５を貼り付けているが、シール材としてのガスケットは特に必要がない。
【００２１】
ガスケト硬質材１０３は固定ネジ１０６で固定されており、断熱扉密閉時、ガスケット硬質材１０３は下部断熱内扉１０２の斜面に沿って下方向に移動し密閉される。
【００２２】
以上のように構成された自動販売機の断熱扉について、以下その動作を説明する。
【００２３】
まず、上部断熱内扉１０１を図１（ａ）で示す開放位置から閉じると、図１（ｂ）で表す分割扉の閉状態では、上部側の斜面が下部側のガスケット硬質材１０３に付き合わされるとともに、ガスケット軟質材のパッキン部１０４が上部断熱内扉１０１の斜面に重なり合い、同時にガスケット硬質材１０３が上部断熱内扉１０１側の腰折れ部で弾性変形し、上下の断熱扉相互間の隙間をシールする。
【００２４】
以上のように、本実施の形態においては、分割された上部断熱内扉１０１の下端と下部断熱内扉１０２の上端を斜めカットし各斜面を突き合わせることにより、突合せ部に空洞部が消滅し、断熱性の向上を図ることができる。
【００２５】
また、本実施の形態ではガスケット硬質材１０３の斜面部にガスケット軟質材のパッキン部１０４が一体成形されていることにより、断熱扉密閉時、ガスケット軟質材のパッキン部１０４が適度にガスケット硬質材１０３の斜面と圧縮されることになり、上部断熱内扉と下部断熱内扉との間に組立誤差による相対的なずれがあっても、このずれを補償して上下断熱材同士を密着させることができる。
【００２６】
また、本実施の形態では断熱扉密閉時、ガスケット硬質材１０３の斜面部が上部断熱内扉１０１の斜面に対し下方向に移動してクッション性を持たせることにより、ガスケット軟質材のパッキン部１０４が経年劣化してもシール性を保持することができる。
【００２７】
また、本実施の形態ではガスケット硬質材１０３の腰折れ側端部と上部断熱内扉１０１の前面側のみを固定ネジ１０６で締結することにより簡単な構造でガスケットにクッション性を持たせることができる。
【００２８】
なお、シール材としてのガスケット質材１０３等はどちらか一方の断熱内扉（本実施の形態では下部断熱内扉１０２）にのみ装着されており、簡素で安価に構成できるものである。
【産業上の利用可能性】
【００２９】
以上のように本発明にかかる扉装置は、突き合せ部における断熱性能とシール性を向上でき、冷蔵庫、自動販売機等の冷却機器における断熱扉に適用できる。
【図面の簡単な説明】
【００３０】
【図１】（ａ）本発明の実施の形態１における扉装置の密閉前を示す図（ｂ）同実施の形態における扉装置の密閉後を示す図
【図２】従来の自動販売機の扉開放状態の外観図
【図３】（ａ）従来の扉装置の密閉前を示す図（ｂ）従来の扉装置の密閉後を示す図
【符号の説明】
【００３１】
１０１  上部断熱内扉
１０２  下部断熱内扉
１０１ａ，１０２ａ  断熱材
１０３  ガスケット硬質材（硬質材の基部）
１０４  ガスケット軟質材のパッキン部（軟質材のパッキン部）
【図１】
2007162257.tif 000003
【図２】
2007162257.tif 000004
【図３】
2007162257.tif 000005